(57)【要約】  本発明の様々な実施形態は、歯付きラックによって互いに向かってそして離れるように横方向にスライド可能に取り付けられる２つのブレード支持アームを有する外科用開創器を提供する。各アームはそれぞれの開創器ブレードを支持する。幾つかの実施形態において、開創器ブレードは、第１のブレードが第１の方向に凹であり、第２のブレードがまた同じ方向に凹であるであるように、互いに同じ方向に湾曲する。代わりに又はさらに、幾つかの実施形態では、クッション性の材料又はクッション性のスリーブが、ブレードが生体組織に接触するブレード上にある。クッション性の材料又はスリーブは、柔らかいシリコーンで形成されてもよい。さらに、クッション性の材料又はスリーブは、ブレード構造上に塗布又は成形されてもよく、あるいは、ブレード構造上を、手動でスライドする又は外れる取り外し可能なスリーブであってもよい。また、代わりに又はさらに、幾つかの実施形態では、ブレードに取り付けられた照明が提供されてもよい。幾つかの実施形態において、照明は、他のブレードの方向に向かって、及び／又は生体組織に向かって内側で光を照らせるように、ブレードを貫通し、そして、内側に向くブレードの開口で終わる光ファイバ光源を備えてもよい。２つの対向するブレードの一方又は両方は、一般的に内部で光る光源を有してもよい。【選択図】なし
2013524861.tif 000002
【特許請求の範囲】
【請求項１】
互いに向かってそして離れるように横方向にスライド可能に取り付けられた一対のアームと、
それぞれのアームに支持され、他方のアームと同じ方向に湾曲する、第１の開創器ブレード及び第２の開創器ブレードと、
を備える外科用開創器。
【請求項２】
請求項１記載の開創器であって、
前記第１の開創器ブレードは第１の方向に凹である外面を有し、前記第２の開創器ブレードは同じ方向に凹である外面を有することを特徴とする開創器。
【請求項３】
請求項１記載の開創器であって、
各ブレードはさらに、前記ブレードが生体組織と接触するブレード上にクッション性の材料を備えることを特徴とする開創器。
【請求項４】
請求項３記載の開創器であって、
前記クッション性の材料は柔らかいシリコーンで形成されることを特徴とする開創器。
【請求項５】
請求項３記載の開創器であって、
前記クッション性の材料はブレード構造上に塗布又は貼られることを特徴とする開創器。
【請求項６】
請求項１記載の開創器であって、
少なくとも１つのブレードに取り付けられる光源をさらに備えることを特徴とする開創器。
【請求項７】
請求項６記載の開創器であって、
前記光源は、前記ブレードを貫通し、他方のブレードに向かって内側に光を照らすように内側に面する前記ブレードの開口で終わる光ファイバ光源を備えることを特徴とする開創器。
【請求項８】
請求項６記載の開創器であって、
両ブレードはそれぞれ、光源を有することを特徴とする開創器。
【請求項９】
第１のアームと、
前記第１のアームと接続し、凸面形状を有する第１の内面を有する第１の開創器ブレードと、
第２のアームと、
前記第２のアームと接続し、凹面形状を有する第２の内面を有する第２の開創器ブレードとを備え、
前記第１のアーム及び前記第２のアームは互いに向かってそして離れるように横方向にスライド可能に取り付けられ、そして前記第１の内面及び前記第２の内面は互いに面することを特徴とする外科用開創器。
【請求項１０】
請求項９記載の開創器であって、
前記第１の開創器ブレードは凸である第１の外面を有し、
前記第２の開創器ブレードは凹である第２の外面を有し、
前記第１の外面は前記第２の外面から離れて面することを特徴とする開創器。
【請求項１１】
請求項９記載の開創器であって、
各ブレードはさらに、前記ブレードが生体組織と接触するブレード上にクッション性の材料を備えることを特徴とする開創器。
【請求項１２】
請求項１１記載の開創器であって、
前記クッション性の材料は柔らかいシリコーンで形成されることを特徴とする開創器。
【請求項１３】
請求項１１記載の開創器であって、
前記クッション性の材料はブレード構造上に塗布又は貼られることを特徴とする開創器。
【請求項１４】
請求項９記載の開創器であって、
少なくとも１つのブレードに取り付けられる光源をさらに備えることを特徴とする開創器。
【請求項１５】
請求項１４記載の開創器であって、
前記光源は、前記ブレードを貫通し、他方のブレードに向かって内側に光を照らすように内側に面する前記ブレードの開口で終わる光ファイバ光源を備えることを特徴とする開創器。
【請求項１６】
請求項１４記載の開創器であって、
両ブレードはそれぞれ、光源を有することを特徴とする開創器。
【請求項１７】
第１のアームと接続し、凸面形状を有する第１の内面を有する第１の開創器ブレードと、
第２のアームと接続し、凹面形状を有する第２の内面を有する第２の開創器ブレードと、
前記第１の開創器ブレード及び前記第２の開創器ブレードが互いに向かってそして離れるように横方向にスライド可能に取り付けられる取付具であって、そして前記第１の内面及び前記第２の内面は互いに面する取付具とを備える外科用開創器。
【請求項１８】
請求項１７記載の開創器であって、
前記取付具は第１のアームと第２のアームとを備えることを特徴とする開創器。
【請求項１９】
請求項１８記載の開創器であって、
前記第１のアームは前記第２のアームとスライド可能で係合可能なラックを備えることを特徴とする開創器。
【請求項２０】
請求項１８記載の開創器であって、
前記第１の開創器ブレードは前記第１のアームに回転可能に取り付けられ、
前記第２の開創器ブレードは前記第２のアームに回転可能に取り付けられることを特徴とする開創器。
【発明の詳細な説明】
【技術分野】
【０００１】
本発明の幾つかの実施形態は、外科用デバイス及び方法、特に外科用開創器（surgical retractors）に関する。
【背景技術】
【０００２】
外科手術はしばしば、外科医が人体のより深い領域に到達できる外科的露出の作成を要求する。外科的露出は通常、適切な深さの切開から開始される。そして、開創器として公知の外科的器具は、その切開部に挿入され、皮膚と、肋骨と、他の軟組織及び骨組織とを広げ、かつ、皮膚と、筋肉と、他の軟組織とを後退させ（pull back）のに使用され、所望の領域へのアクセスを可能にする。幾つかの手持ち式の外科用開創器が知られている。心臓血管／胸部手術の場合、神経及び肋骨上の圧点（pressure points）を減らすことが望ましい。
【発明の概要】
【０００３】
本発明の様々な実施形態は、横方向にスライド可能に、かつ歯付きラックによって互いに向かって又は離れるように取り付けられる２つのブレード支持アームを有する外科用開創器を提供する。各アームは、それぞれの開創器ブレードを支持する。幾つかの実施形態では、開創器ブレードは、第１のブレードが第１の方向に凹み、また第２のブレードが同じ方向に凹むように、互いに同じ方向に湾曲する。代わりに又はさらに、幾つかの実施形態では、クッション性の材料又はクッション性のスリーブが、ブレードが生体組織（anatomy）に接触するブレード上にある。クッション性の材料又はスリーブは、柔らかいシリコーンで形成されてもよい。さらに、クッション性の材料又はスリーブは、ブレード構造上に塗布又は成形されてもよく、あるいは、ブレード構造上を、手動でスライドする又は外れる取り外し可能なスリーブであってもよい。また、代わりに又はさらに、幾つかの実施形態では、ブレードに取り付けられた照明が提供されてもよい。ある実施形態において、照明は、他のブレードの方向に向かって、及び／又は生体組織に向かって内側で光を照らせるように、ブレードを貫通し、そして、内側に向くブレードの開口で終わる光ファイバ光源を備えてもよい。２つの対向するブレードの一方又は両方は、一般的に内部で光る光源を有してもよい。幾つかの実施形態の態様において、互いに向かってそして離れるように横方向にスライド可能に取り付けられた一対のアームと、それぞれのアームに支持され、他方のブレードと同じ方向に湾曲する、第１の開創器ブレード及び第２の開創器ブレードとを備える外科用開創器が提供される。幾つかの実施形態の態様において、第１のアームと、前記第１のアームと接続し、凸面形状を有する第１の内面を有する第１の開創器ブレードと、第２のアームと、前記第２のアームと接続し、凹面形状を有する第２の内面を有する第２の開創器ブレードとを備え、前記第１のアーム及び前記第２のアームは互いに向かってそして離れるように横方向にスライド可能に取り付けられ、そして前記第１の内面及び前記第２の内面は互いに面することを特徴とする外科用開創器が提供される。幾つかの実施形態の態様において、第１のアームと接続し、凸面形状を有する第１の内面を有する第１の開創器ブレードと、第２のアームと接続し、凹面形状を有する第２の内面を有する第２の開創器ブレードと、前記第１の開創器ブレード及び前記第２の開創器ブレードが互いに向かってそして離れるように横方向にスライド可能に取り付けられる取付具であって、そして前記第１の内面及び前記第２の内面は互いに面する取付具とを備える外科用開創器が提供される。
【０００４】
本発明の上記の目的及び利点は、様々な例示的実施形態によって達成され得る目的及び利点を一例とするものであり、包括、又は理解され得る可能性のある利点を制限することを意図するものではない。そして、様々な例示的実施形態の上記そして他の目的及び利点は、明細書の説明から明らかになり、あるいは、明細書で具体化され、当業者には明らかである変形の観点で改良される様々な例示的実施形態を実行することから学び得る。従って、本発明は、明細書に示され、様々な例示的実施形態で説明された新規な方法、配置、組合せ、及び改良に属する。
【図面の簡単な説明】
【０００５】
【図１】本発明の好ましい実施形態の外科用開創器の斜視図。
【図２】異なる角度から見た外科用開創器の斜視図。
【図３】開創器の正面図。
【図４】開創器の平面図。
【図５】開創器の側面図
【図６】他の側面から見た開創器の側面図。
【図７】ブレードが取り外された状態を示す外科用開創器の分解図の一部。
【図８】シリコーンクッションの実施形態を示す、第１のブレードの詳細分解図。
【図９】ブレード上にシリコーンクッションを有する実施形態を示す第２のブレードの分解図。
【発明を実施するための形態】
【０００６】
次に、外科用開創器及び方法の幾つかの好ましい実施形態が、同じ付番が同じエレメントを示す図面を参照して説明される。
【０００７】
開創器の好ましい実施形態が、図１〜図６に示される。開創器１０は一般的に、第１のアームアセンブリ１２と、第２のアームアセンブリ１４とを備える。アームアセンブリ（以下、「アーム」と称する）１４はまた、ラック１６を備える。アーム１２は、互いに向かって又は離れるようにアーム１２，１４を動かし、かつ、所望の位置にアーム１２，１４を固定するラック１６に従ってスライド可能である。アーム１２はブレード２０を支持し、アーム１４はブレード２２を支持する。ブレード２０は、ブレード２２に面するように、凹面湾曲（concave curvature）と呼ばれる湾曲を有する中間部２４を備える。ブレード２２は、ブレード２０に面するように、凸面湾曲と呼ばれる湾曲を有する中間部２６を備える。ブレード２０は、ブレードピボット２１によって、回転可能にアーム１２に取り付けられる。ブレード２２は、ブレードピボット２３によって、回転可能にアーム１４に取り付けられる。光ファイバ光源又は他の光源３０がブレード２０に取り付けられ、光ファイバ光源又は他の光源３２がブレード２２に取り付けられる。光ファイバ光源３０は、図に示すように他のブレード２２に向かって光ることができるように、ブレード２０を貫通し、ブレード２０の開口を介して投影する。光ファイバ光源３２は、ブレード２０に向かって光ることができるように、ブレードを介して投影し、かつブレード２２の開口を介して投影する発光チップ（light-emitting tip）４２を有する。
【０００８】
開創器１０は、手術の間、開けられた肋骨間の切開部を保持する。特に、ブレード２０及び２２は、肋骨の形状に解剖学的に適合し、圧点を回避するように設計されることによって、肋骨と、生体組織及び神経の周辺への圧力及び外傷を低減するように構成される。この点は、ブレード２０及び２２各々が互いに同じ方向に凸面湾曲又は凹面湾曲を有するブレードの形状によって少なくとも一部達成される。すなわち、一方のブレードは凸面プロファイルを有し、そして、逆方向に見ると、他のブレードは、凹面方向に前記ブレードに面する。これら相対的に凸面及び凹面プロファイルを有するブレードの表面は、ブレードの外面である（すなわち、ブレードの面は互いに離れて面する）。湾曲したプロファイルは、示された実施例のブレードの部分に組み入れてもよい。ブレードは実質的に、これらの中間の凸部／凹部で一定厚さを有する。従って、こららの（互いに面する）内面はまた、相補的な凸面及び凹面を特徴付ける。しかしながら、これは必ずしも必要なく、列挙される凸／凹関係は、肋骨又は生体組織を制御する面である、外側に面する面のみでもよい。
【０００９】
好ましくは、ブレードは、外側ブレードの面の凸カーブ又は凹カーブが接触される肋骨の下面及び上面の一般的配置と適合できるように、幾つかの実施形態に設計される。それぞれのブレードの内面（互いに面する面）はまた、（すなわち、各ブレードが中間領域において実質的に一定厚さを有する場合）相補的に適合する面湾曲を有する。手術領域での視認領域が最大化されるという、他の利点が達成される。
【００１０】
図示された照明デバイス３０及び３２はそれぞれ、任意であるが手術エリアに照明を提供できる、光投影ターミナル４０及び４２を有する。図示された実施形態において、照明デバイス３０及び３２は、ブレードに取り付けられ、そして、光の伝達を可能するように提供された、ブレードの小さな開口で終わるブレードの一部を貫通する。
【００１１】
図８及び図９は、本発明のさらなる実施形態を示す。本実施形態において、柔軟性のあるクッション材料又はスリーブ５０及び５２がそれぞれ、ブレード２０及び２２に提供される。好ましくは、柔軟性のあるクッションは、柔軟なシリコーン、又は他の柔軟な弾性材料である。材料は、製造中又は製造後、ブレード自身の一部又は全部の上部にオーバーモールディングされてもよい。代わりに又はさらに、クッションは、ブレードの全部又は一部を覆うように、取り外し可能に、半永久的に又は永久的に加工されたスリーブであってもよい。幾つかの実施形態において、クッションは、ブレード５０又は５２の一部、例えば、湾曲した中間部２４及び２６の一部又は全部を覆う。
【００１２】
ブレード２０及び２２が取り付けられる回転アーム１２及び１４の詳細は、米国特許第７５３７５６５号に見ることができ、その開示は参照することにより全体を本明細書に組み込む。米国特許第７５３７５６５号は特に、開創器のブレードを支持できるアームを回転することを開示する。光ファイバ光源３０は、ブレード２２に向けて光ることができるように、ブレードを介して投影し、そしてブレード２０の開口を介して投影する発光チップ４０を有する。
【００１３】
様々な例示的実施形態がその特定の例示的態様を特に参照して詳細に説明されたけれども、本発明は他の実施形態に適用でき、その詳細は様々な明らかな点で改良できるということが理解されるべきである。当業者にはすぐ見てわかるように、本発明の本質及び範囲内で、変形及び改良が可能である。従って、上記の開示、説明及び図面は、例示を目的としているのみであり、本発明を決して限定するものではなく、本発明は特許請求の範囲によってのみ定義される。
【図１】
2013524861.tif 000003
【図２】
2013524861.tif 000004
【図３】
2013524861.tif 000005
【図４】
2013524861.tif 000006
【図５】
2013524861.tif 000007
【図６】
2013524861.tif 000008
【図７】
2013524861.tif 000009
【図８】
2013524861.tif 000010
【図９】
2013524861.tif 000011
【国際調査報告】
2013524861.tif 000012
2013524861.tif 000013